【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
頁単位の圧縮イメージデータに基づいて、給紙手段に装填された記録媒体または手差し給紙口から挿入された記録媒体に対して、当該頁単位に印刷を行なうことが可能なホストベースプリンタであって、前記給紙手段及び手差し給紙口に装填される記録媒体を共通のセンサで検出するホストベースプリンタを制御する情報処理装置であって、
前記給紙手段または手差し給紙口からの給紙の指定を判定する判定手段と、
前記判定手段の判定により、前記手差し給紙口からの給紙が指定されていると判定される場合、当該手差し給紙口への記録媒体の挿入を促す表示を表示部に表示させる表示制御手段と、
ユーザの指示に応じた圧縮イメージデータ転送の許可を、識別する識別手段と、
前記識別手段による識別に基づき、該当する１頁分の圧縮イメージデータを前記ホストベースプリンタに転送する転送手段とを備え、
前記表示制御手段は、前記１頁分の印刷処理の後、前記ホストベースプリンタに未転送の圧縮イメージデータにおける頁単位の処理に対して、再度、前記手差し給紙口への記録媒体の挿入を促す表示を表示部に表示させることを特徴とする情報処理装置。
【請求項２】
前記識別手段が、圧縮イメージデータ転送の許可を識別した場合、前記表示制御手段は、前記手差し給紙口への記録媒体の挿入を促す表示を解除させることを特徴とする請求項１に記載の情報処理装置。
【請求項３】
前記頁単位の圧縮イメージデータを含む情報に、前記ホストベースプリンタの動作を頁単位に制御する指定情報が含まれているか判定する第１指定情報判定手段と、
前記第１指定情報判定手段の判定により、前記指定情報が含まれていると判定される場合、当該指定情報に、前記ホストベースプリンタの動作を一時停止させる設定がされているか判定する第２指定情報判定手段と、を更に備え、
前記第２指定情報判定手段が、前記指定情報に前記ホストベースプリンタの動作を一時停止させる設定がされていると判定する場合、
前記表示制御手段は、前記手差し給紙口への記録媒体の挿入を促す表示を表示部に表示させ、
前記転送手段は、前記ホストベースプリンタから圧縮イメージデータ転送の許可を示す通知を受信するまで、該当する圧縮イメージデータの転送を行なわないことを特徴とする請求項１に記載の情報処理装置。
【請求項４】
前記識別手段は、前記ホストベースプリンタにおいてユーザにより手差し給紙口への記録紙の挿入が完了した旨の指示がなされたことに応じて、前記ホストベースプリンタから出力される通知を識別し、前記通知はポーリングに対する応答による通知、或は、イベント通知、或は、信号先の電圧変化による通知であることを特徴とする請求項１または２に記載の情報処理装置。
【請求項５】
給紙手段及び手差し給紙口に装填される記録媒体を共通のセンサで検出するホストベースプリンタと通信可能な情報処理装置であって、
第１給紙モード、第２給紙モードの何れかの指示を受け付ける入力手段と、
第１給紙モードが指定された場合に、手差し給紙口への記録紙の挿入を促すメッセージを表示部に表示させる第１表示制御手段と、
ユーザの指示に応じた印刷データ転送の許可を識別した場合に、全ての頁の印刷出力を前記ホストベースプリンタに行わせることなく、１又は２頁の印刷データの印刷出力を行なわせる第１制御手段と、
前記制御手段により印刷出力が行われることに応じて、再度前記記録紙の挿入を促すメッセージを表示させる第２表示制御手段と、
印刷装置からの通知に応じて、未印刷出力の残りの１又は２頁の印刷出力を前記ホストベースプリンタに行なわせる第２制御手段と
を有することを特徴とする情報処理装置。
【請求項６】
頁単位の圧縮イメージデータに基づいて、給紙手段に装填された記録媒体または手差し給紙口から挿入された記録媒体に対して、当該頁単位に印刷を行なうことが可能なホストベースプリンタであって、前記給紙手段及び手差し給紙口に装填される記録媒体を共通のセンサで検出するホストベースプリンタを制御することが可能な情報処理装置における情報処理方法であって、
第１判定手段が、前記給紙手段または手差し給紙口からの給紙の指定を判定する第１判定工程と、
前記第１判定工程の判定により、前記手差し給紙口からの給紙が指定されていると判定される場合、第１表示制御手段が、当該手差し給紙口への記録媒体の挿入を促す表示を表示部に表示させる第１表示制御工程と、
識別手段が、ユーザの指示に応じた圧縮イメージデータ転送の許可を、識別する識別工程と、
制御手段が、前記識別工程における識別に基づき、該当する１頁分の圧縮イメージデータの出力を前記ホストベースプリンタに行なわせる制御工程と
第２表示制御手段が、前記該当する１頁分の印刷処理の後、前記ホストベースプリンタに未転送の圧縮イメージデータにおける頁単位の処理に対して、再度、前記手差し給紙口への記録媒体の挿入を促す表示を表示部に表示させる第２表示制御工程と
を有することを特徴とする情報処理方法。
【請求項７】
前記識別工程において、圧縮イメージデータ転送の許可を識別した場合、前記第１表示制御工程及び第２表示制御工程は、前記手差し給紙口への記録媒体の挿入を促す表示を解除させることを特徴とする請求項６に記載の情報処理方法。
【請求項８】
第２判定手段が、複数頁の各々に対応して、前記ホストベースプリンタの動作を一時停止させる設定がされているか否かを判定する第２判定工程を更に有し、
前記第２判定工程において、前記ホストベースプリンタの動作を一時停止させる設定がされている頁について、前記第１表示制御工程は、前記手差し給紙口への記録媒体の挿入を促す表示を表示部に表示させ、前記制御工程は、圧縮イメージデータの転送の許可を識別するまで、該当する圧縮イメージデータの転送を行なわないことを特徴とする請求項６に記載の情報処理方法。
【請求項９】
前記識別工程は、前記ホストベースプリンタにおいてユーザにより手差し給紙口への記録紙の挿入が完了した旨の指示がなされたことに応じて、前記ホストベースプリンタから出力される通知を識別し、前記通知はポーリングに対する応答による通知、或は、イベント通知、或は、信号先の電圧変化による通知であることを特徴とする請求項６または７に記載の情報処理方法。
【請求項１０】
給紙手段及び手差し給紙口に装填される記録媒体を共通のセンサで検出するホストベースプリンタと通信可能な情報処理装置における情報処理方法であって、
入力手段が、第１給紙モード、第２給紙モードの何れかの指示を受け付ける入力工程と、
第１表示制御手段が、第１給紙モードが指定された場合に、手差し給紙口への記録紙の挿入を促すメッセージを表示部に表示させる第１表示制御工程と、
第１制御手段が、ユーザの指示に応じた印刷データ転送の許可を識別した場合に、全ての頁の印刷出力を前記ホストベースプリンタに行わせることなく、１又は２頁の印刷データの印刷出力を行なわせる第１制御工程と、
第２表示制御手段が、前記制御工程によって印刷出力が行わせることに応じて、再度前記促すメッセージを表示させる第２表示制御工程と、
第２制御手段が、印刷装置からの通知に応じて、未印刷出力の残りの１又は２頁の印刷出力を前記ホストベースプリンタに行なわせる第２制御工程と
を有することを特徴とする情報処理方法。
【請求項１１】
請求項６乃至１０のいずれか１項に記載の情報処理方法をコンピュータに実行させることを特徴とするプログラム。
【請求項１２】
請求項１１に記載のプログラムを格納したことを特徴とするコンピュータ可読の記憶媒体。
【請求項１３】
頁単位の圧縮イメージデータに基づいて、給紙手段に装填された記録媒体または手差し給紙口から挿入された記録媒体に対して、当該頁単位に印刷を行なうことが可能で、前記給紙手段及び手差し給紙口に装填される記録媒体を共通のセンサで検出するホストベースプリンタであって、
情報処理装置より送信される、前記手差し給紙口からの給紙により印刷を行なう指示に基づいて、当該記手差し給紙口への記録媒体の挿入を促す表示をする表示手段と、
前記情報処理装置に圧縮イメージデータの転送が可能であることを識別させるための通知を入力する通知入力手段と、
前記通知に対応して、前記情報処理装置から転送されてくる前記頁単位の圧縮イメージデータを伸長し、当該伸長したデータに基づいて印刷処理を行なう印刷手段と
を備えることを特徴とするホストベースプリンタ。
【請求項１４】
前記情報処理装置においては、前記通知を受けると１又は２頁の圧縮イメージデータの転送が行われ、前記情報処理装置は、前記１又は２頁の圧縮イメージデータの転送終了後、再度前記通知が入力されるのを待機することを特徴とする請求項１３に記載のホストベースプリンタ。
【手続補正２】
【補正対象書類名】明細書
【補正対象項目名】００１０
【補正方法】変更
【補正の内容】
【００１０】
あるいは、本発明に係る情報処理装置は、給紙手段及び手差し給紙口に装填される記録媒体を共通のセンサで検出するホストベースプリンタと通信可能な情報処理装置であって、
第１給紙モード、第２給紙モードの何れかの指示を受け付ける入力手段と、
第１給紙モードが指定された場合に、手差し給紙口への記録紙の挿入を促すメッセージを表示部に表示させる第１表示制御手段と、
ユーザの指示に応じた印刷データ転送の許可を識別した場合に、全ての頁の印刷出力を前記ホストベースプリンタに行わせることなく、１又は２頁の印刷データの印刷出力を行なわせる第１制御手段と、
前記制御手段により印刷出力が行われることに応じて、再度前記記録紙の挿入を促すメッセージを表示させる第２表示制御手段と、
印刷装置からの通知に応じて、未印刷出力の残りの１又は２頁の印刷出力を前記ホストベースプリンタに行なわせる第２制御手段と
を有することを特徴とする。
【手続補正３】
【補正対象書類名】明細書
【補正対象項目名】００１１
【補正方法】変更
【補正の内容】
【００１１】
あるいは、本発明に係るホストベースプリンタは、頁単位の圧縮イメージデータに基づいて、給紙手段に装填された記録媒体または手差し給紙口から挿入された記録媒体に対して、当該頁単位に印刷を行なうことが可能で、前記給紙手段及び手差し給紙口に装填される記録媒体を共通のセンサで検出するホストベースプリンタであって、
情報処理装置より送信される、前記手差し給紙口からの給紙により印刷を行なう指示に基づいて、当該記手差し給紙口への記録媒体の挿入を促す表示をする表示手段と、
前記情報処理装置に圧縮イメージデータの転送が可能であることを識別させるための通知を入力する通知入力手段と、
前記通知に対応して、前記情報処理装置から転送されてくる前記頁単位の圧縮イメージデータを伸長し、当該伸長したデータに基づいて印刷処理を行なう印刷手段と
を備えることを特徴とする。